(57)【要約】【課題】従来、ＬＣＤ表示側だけの周囲照度を検出する方式では日光直射状態では画面照度が急激に変化し、画面が見えにくくなるという課題があった。本発明は、日光直射状態を正確に検知し、それに応じて最適な輝度調整をすることにより最適な屋外視認性を得ることを目的とする。【解決手段】バックライト９を有するＬＣＤを表示部とした電子機器であって、表示部の表示面側にあって外光照度検出を行うＬＣＤ表示側センサ部１と、表示裏面側にあってＬＣＤ裏面側の外光照度検出を行うＬＣＤ裏面側センサ部２と、ＬＣＤ表示側センサ部とＬＣＤ裏面側センサ部のそれぞれの出力を比較するセンサ出力比較部５と、センサ出力比較部の出力レベルに応じてバックライトの輝度を調整するバックライト制御部６を備えた輝度調整装置であり、２つのセンサ部の出力差により日光直射状態を判定し、視認性劣化を抑え、最適な視認状態での屋外使用を可能とする。【選択図】図２
2007279179.tif 000002
【特許請求の範囲】
【請求項１】
バックライトを有するＬＣＤを表示部とした電子機器の輝度調整装置であって、
前記表示部の表示面側にあって外光照度検出を行うＬＣＤ表示側センサ部と、
前記表示部の表示裏面側にあってＬＣＤ裏面側の外光照度検出を行うＬＣＤ裏面側センサ部と、
前記ＬＣＤ表示側センサ部と前記ＬＣＤ裏面側センサ部のそれぞれの出力を比較するセンサ出力比較部と、
前記センサ出力比較部の出力レベルに応じて前記バックライトの輝度を調整するバックライト制御部と、
を備えたことを特徴とする輝度調整装置。
【発明の詳細な説明】
【技術分野】
【０００１】
本発明は、バックライトを有するＬＣＤ（Ｌｉｑｕｉｄ  Ｃｒｙｓｔａｌ  Ｄｉｓｐｌａｙ、液晶表示装置）を表示部とした電子機器（以下、総称してノートパソコン）を屋外使用時であっても、日光による影響を受けずに視認性を向上させるバックライトの輝度調整装置に関するものである。
【背景技術】
【０００２】
近年、ノートパソコンの輝度調整装置は屋外でのノートパソコン使用増加に伴い非常に重要な技術となっている。
【０００３】
以下に従来の輝度調整装置について説明する。
【０００４】
従来、輝度調整は特許文献１に記載されたものが知られている。そのセンサ配置図を図４に示す。
【０００５】
図４は従来の輝度調整のための構成図を示すものである。
【０００６】
図４において、１は光センサである。３はＬＣＤであり、４はキーボードである。
【０００７】
以上のように構成された従来の輝度調整について、以下その動作について説明する。
【０００８】
まず、ＬＣＤ表示側に設置された光センサは、フォトダイオード、もしくは、フォトトランジスタで構成され、その光センサ出力で照度を検知する。その検知レベルによって、ＬＣＤのバックライト部への電力を制御し、輝度調整を可能としている。日光照射状態で使用する場合は、日光の影響を受けにくくするため、光センサ出力によってバックライト輝度を上げるという制御をしている。
【特許文献１】特開２００２−１１１８６５号公報
【発明の開示】
【発明が解決しようとする課題】
【０００９】
しかしながら、上記従来の構成では、日光照射は図５に示すように、直射状態に近くなるほど、その日光反射による画面照度が急激に大きくなり、本来のＬＣＤバックライトからの光が抑えられてしまい、画面が見えにくくなるという問題があった。図５はその特性を示した図であり、反射による照度はＬＣＤ表示面に対する日光の入射角度が９０度近くなる付近で急激に上昇する。つまり画面が見づらくなる。屋外で使用する場合のノートパソコンは車載使用等屋外で移動して使われる場合が多く、ＬＣＤ表示側の光センサのみ照度を検知するだけでは、センサ感度、応答性等の問題があり、日光の影響を正確に検知することが困難であった。
【００１０】
本発明は、上記従来の問題点を解決するもので、日光により画面照度を正確に検知し、システム側がそれに応答して最適な輝度調整装置を提供することを目的とする。
【課題を解決するための手段】
【００１１】
本発明の請求項１に記載の発明は、
バックライトを有するＬＣＤを表示部とした電子機器の輝度調整装置であって、
前記表示部の表示面側にあって外光照度検出を行うＬＣＤ表示側センサ部と、
前記表示部の表示裏面側にあってＬＣＤ裏面側の外光照度検出を行うＬＣＤ裏面側センサ部と、
前記ＬＣＤ表示側センサ部と前記ＬＣＤ裏面側センサ部のそれぞれの出力を比較するセンサ出力比較部と、
前記センサ出力比較部の出力レベルに応じて前記バックライトの輝度を調整するバックライト制御部と、
を備えたことを特徴とする輝度調整装置したものであり、
日光照射の影響を受けずに最適な屋外視認性を提供するという作用を有する。
【発明の効果】
【００１２】
本発明の輝度調整装置によれば、屋外で使用されるノートパソコンに対し、日光による視認性劣化を抑え、最適な液晶表示が得られるという優れた効果が得られる。
【発明を実施するための最良の形態】
【００１３】
以下、本発明の実施の形態について、図１から図３を用いて説明する。
【００１４】
（実施の形態１）
図１は本発明の実施の形態１におけるノートパソコンのセンサ配置図である。
【００１５】
図１において、１はＬＣＤ表示部の表示面側にあって外光照度検出を行うＬＣＤ表示側センサ部、２はＬＣＤ表示部の表示裏面側にあってＬＣＤ裏面側の外光照度検出を行うＬＣＤ裏面側センサ部であり、ＬＣＤ周囲の外光状態をより正確に検出するために配置される。３はノートパソコン表示部であるＬＣＤ、４はノートパソコンのキーボードである。
【００１６】
図２は本発明の実施の形態１における輝度調整回路の動作説明のためのブロック図である。
【００１７】
図２において、５はＬＣＤ表示側センサ部出力とＬＣＤ裏面側センサ部出力を比較するためのセンサ出力比較部、６はセンサ出力比較部５より出力されたレベルに応じて輝度を調整するバックライト制御部、７はバックライトに電力供給するバックライト用電源供給部、８はバックライト駆動部であり、バックライトへの電力供給を可変することで明るさを制御できる。９はバックライト駆動部８より供給される電力を照明光に変換するバックライト蛍光部である。
【００１８】
図３は実施の形態１における２つのセンサの出力レベル差に応じたバックライトの輝度調整方法を示した図である。
【００１９】
以上のように構成された輝度調整装置について、図１、図２、図３を用いてその動作を説明する。
【００２０】
まず、ＬＣＤ表示側に設置されたＬＣＤ表示側センサ部１よりＬＣＤ表示側の照度を検出するが、屋外使用時、ＬＣＤ表示側照度の変化スピードは速く、一箇所のみではＬＣＤ周囲照度は検出しにくい。そのため、周囲照度をより正確に検出するため、本実施の形態ではＬＣＤ裏面側に配置したＬＣＤ裏面側センサ部２によってそのレベルを検出する。このように配置することにより、ＬＣＤ表示面に対する日光の入射角度が９０度に近づくに従ってＬＣＤ表示側センサ部１の出力は増加し、反対にＬＣＤ裏面側センサ部２出力は減少していくことになる。センサ出力比較部５では２つのそれぞれのセンサ出力を入力し、センサの出力差分をバックライト制御部６に出力する。バックライト制御部６はセンサの出力差が大きく、かつＬＣＤ表示側センサ部１が一定以上に達すると、日光による視認性低下を防ぐためバックライトへの出力レベル調整を行う。
【００２１】
図３ではＬＣＤ側出力差によって線形に変動させるのではなく、ＬＣＤ表示側センサ部１の出力に応じて段階的に変動させ、頻繁に輝度レベルが変わることによる視認性劣化を防いでいる。
【００２２】
以上のように本実施の形態によれば、ＬＣＤ表示側だけでなく、ＬＣＤ裏面側にもセンサを設けることにより、ＬＣＤ周囲照度をより正確に検出し、最適なバックライト輝度調整し屋外視認性を向上させることができる。
【００２３】
なお、以上の説明ではＬＣＤ裏面側に光センサを追加配置するものとしたが、ＬＣＤ表示側以外で日光直射状態が判別しやすい場所であればＬＣＤ裏面側に限定するものではなく、その他適切な場所に配置しても良いことは言うまでもない。例えば図１では、ＬＣＤ裏面側センサ部２をＬＣＤ表示側センサ部１とはＬＣＤ３に対して裏面、片端部に配置しているが、ＬＣＤ３に対して裏面、対角線端部（２′）に配置することも可能である。
【００２４】
また、夏の晴天のような非常に明るい環境下に対して曇天、室内のような場所では図３の波線のようにＬＣＤ表示側センサ部１の絶対値出力をバックライト制御部６にパラメータ（図２波線矢印）として入力し、これによってバックライトの輝度を補正しても良い。
【産業上の利用可能性】
【００２５】
本発明にかかる輝度調整装置は、屋外で使用されるノートパソコンに対し、日光による視認性劣化を抑え、最適な液晶表示が得られるという優れた効果を有し、最適な視認状態での屋外使用を可能とするノートパソコンの輝度調整装置等として有用である。
【図面の簡単な説明】
【００２６】
【図１】本発明の実施の形態１におけるノートパソコンのセンサ配置図
【図２】同実施の形態１における輝度調整回路の動作説明のためのブロック図
【図３】同実施の形態１における２つのセンサの出力レベル差に応じたバックライトの輝度調整方法を示した図
【図４】従来のノートパソコンのセンサ配置図
【図５】従来例での特性図
【符号の説明】
【００２７】
１  ＬＣＤ表示側センサ部
２  ＬＣＤ裏面側センサ部
３  ＬＣＤ（Ｌｉｑｕｉｄ  Ｃｒｙｓｔａｌ  Ｄｉｓｐｌａｙ、液晶表示装置）
４  キーボード
５  センサ出力比較部
６  バックライト制御部
７  バックライト用電源供給部
８  バックライト駆動部
９  バックライト蛍光部
【図１】
2007279179.tif 000003
【図２】
2007279179.tif 000004
【図３】
2007279179.tif 000005
【図４】
2007279179.tif 000006
【図５】
2007279179.tif 000007